(57)【要約】【課題】被写体の位置情報を付加することができ、しかも画像データに付加した位置情報が被写体の位置情報なのか、あるいは撮像装置の位置情報なのかを後から判断することができる撮像装置を提供する。【解決手段】  撮像装置１内のＣＰＵ部が、撮像装置１に一体に取り付けられたか又は接続されたＧＰＳ機器１５が検出したＧＰＳ情報Ｓ１１、及び、同じく撮像装置１に一体に取り付けられたか又は接続された測距装置１６が検出した撮像装置１から被写体までの距離情報Ａの両情報に基づいて被写体のＧＰＳ情報Ｓ１２を検出する。撮像装置１内のＣＰＵ部が、ＧＰＳ情報Ｓ１１を画像データに付加するときＧＰＳ機器１５のＧＰＳ情報である旨の識別情報をさらに付加すると共に、ＧＰＳ情報Ｓ１２を画像データに付加するとき被写体のＧＰＳ情報である旨の識別情報を付加する。【選択図】図７
2008078780.tif 000002
【特許請求の範囲】
【請求項１】
被写体を撮像して画像データを出力する撮像手段と、該画像データを記録媒体に記録する記録手段とを有する撮像装置において、
前記撮像装置に一体に取り付けられたか又は接続された位置検出手段が検出した位置情報、及び、同じく前記撮像装置に一体に取り付けられたか又は接続された測距手段が検出した前記撮像装置から前記被写体までの距離情報の両情報に基づいて前記被写体の位置情報を検出する被写体位置検出手段と、
前記被写体位置検出手段が検出した位置情報を前記画像データに付加して記録する位置情報付加手段と、
を有することを特徴とする撮像装置。
【請求項２】
前記位置情報付加手段として、前記被写体位置検出手段により検出された位置情報及び前記位置検出手段により検出された位置情報の何れか一方を前記画像データに付加するものを有し、そして、
前記位置情報付加手段により付加された位置情報が前記被写体の位置情報であるか、前記位置検出手段の位置情報であるかを識別するための識別情報を前記画像データに付加する識別情報付加手段を有する
ことを特徴とする請求項１記載の撮像装置。
【請求項３】
前記付加する位置情報を、被写体の位置及び前記位置検出手段の位置の何れか一方に選択するための選択操作手段を有し、そして、
前記位置情報付加手段として、前記選択操作手段により前記被写体の位置が選択されているとき、前記被写体位置検出手段が検出した位置情報を前記画像データに付加すると共に、前記選択操作手段により前記位置検出手段の位置が選択されているとき、前記位置検出手段が検出した位置情報を前記画像データに付加するものを有する
ことを特徴とする請求項２記載の撮像装置。
【請求項４】
前記位置検出手段が、無線により接続されているか否かを判断する判断手段を有し、
前記位置情報付加手段として、前記判断手段により無線で接続されていると判断されたとき、前記位置検出手段が検出した位置情報を前記画像データに付加するものを有する
ことを特徴とする請求項２又は３記載の撮像装置。
【請求項５】
前記識別情報付加手段が、前記判断手段により無線で接続されていると判断されたとき、前記位置情報付加手段により付加された前記位置検出手段が検出した位置情報が前記被写体の位置情報である旨の識別情報を前記画像データに付加する
ことを特徴とする請求項４記載の撮像装置。
【請求項６】
前記被写体の合焦位置に向かって撮像レンズの移動を開始するときに操作される合焦操作手段と、
前記合焦操作手段が操作されたときに前記被写体位置検出手段が検出した前記被写体の位置情報を表示手段に表示する表示制御手段と、
を備えたことを特徴とする請求項１〜５何れか１項記載の撮像装置。
【請求項７】
前記位置検出手段が無線により接続されているか否かを判断する判断手段と、
前記判断手段が前記無線により接続されていると判断したとき前記表示制御手段の表示を停止させる表示停止手段と、
を備えたことを特徴とする請求項６記載の撮像装置。
【発明の詳細な説明】
【技術分野】
【０００１】
本発明は、例えば、被写体を撮像して画像データを出力する撮像手段と、該画像データを記録媒体に記録する記録手段とを有する撮像装置に関するものである。
【背景技術】
【０００２】
近年、パーソナルコンピュータの発達にあいまって、画像入力機器としてデジタルカメラの利用が広まっている。アナログカメラの代わりに複数台のデジタルカメラを所有しているユーザーも少なくない。プロファッショナル仕様の一眼レフタイプの商品から通常のスナップ写真を撮影するコンパクトタイプのデジタルカメラまで数多く商品化されている。
【０００３】
また、携帯型ＧＰＳ受信機の普及に伴い位置情報を利用したＧＩＳ（Geographic Information System）システムが普及しつつある。ＧＩＳシステムの利用目的は例えば、火災発生時の状況調査や、不動産関連、道路工事など、さまざまな分野で利用され、今後も市場のニーズが増えることが予測される。
【０００４】
ところで、上記ＧＩＳシステムにおいては、デジタルカメラも使用されることがある。例えば、災害現場の状況調査用のＧＩＳシステムの場合は、被災状況をデジタルカメラで撮影し、後で地図データと関連付けて報告書を作成する使用例などがある。このように、ＧＩＳシステムにおいては、デジタルカメラで撮像した画像と、撮影位置情報等のその画像に関連した情報を関連付けるニーズがある。
【０００５】
このようなニーズの解決策として、例えば特許文献１のようにデジタルカメラとＧＰＳ受信機を接続し、ＧＰＳ受信機からの位置情報をデジタルカメラに入力し、デジタルカメラで撮像した画像のヘッダに位置情報（ＧＰＳ情報）を付加する技術がある。この技術により、撮像画像の位置情報が同じ画像ファイル内に記憶され、画像の管理面での効率化が実現されている。
【０００６】
位置情報を取得する方法は、携帯電話のように、基地局から現在の携帯電話の位置を割り出す方法や、衛星からの位置を割り出す方法などが知られている。さらに、ＧＰＳ機器においては、カメラや携帯電話と一体型になっているものもあれば、ブルーツースなどの無線通信のインタフェースを持ち、位置情報を伝える、ＧＰＳ単体での機器など複数の機器が存在する。近年ではＧＰＳ機器の精度も上がり、誤差１ｍといったものも、軍事用度だけでなく、一般ユーザーでも使用できるような環境になってきている。
【０００７】
通常ユーザがデジタルカメラで撮影し、位置情報を撮像画像に保存する場合において、本来ユーザが望むものは、撮影者やデジタルカメラの位置情報でなく、撮影した被写体の位置情報を撮像画像に保存することが、求められている。しかしながら、上述した特許文献１に記載された従来の発明では、撮影者やデジタルカメラの位置情報しか保存することができず、ユーザの要求に応えることができないという第１の問題があった。
【０００８】
また、たとえ被写体の位置情報を求められたとしても、画像のヘッダに付加された位置情報が被写体の位置情報であるのか、それとも撮影者やデジタルカメラの位置情報であるのか判断することができないという第２の問題があった。
【特許文献１】特開２００４−３５７３４３号公報
【発明の開示】
【発明が解決しようとする課題】
【０００９】
そこで、本発明は、上記のような第１の問題点に着目し、被写体の位置情報を付加することができる撮像装置を提供することを第１の課題とする。
【００１０】
また、本発明は、上記のような第２の問題点に着目し、画像データに付加した位置情報が被写体の位置情報なのか、あるいは撮像装置の位置情報なのかを後から判断することができる撮像装置を提供することを第２の課題とする。
【課題を解決するための手段】
【００１１】
上述した第１の課題を解決するためになされた請求項１記載の発明は、被写体を撮像して画像データを出力する撮像手段と、該画像データを記録媒体に記録する記録手段とを有する撮像装置において、前記撮像装置に一体に取り付けられたか又は接続された位置検出手段が検出した位置情報、及び、同じく前記撮像装置に一体に取り付けられたか又は接続された測距手段が検出した前記撮像装置から前記被写体までの距離情報の両情報に基づいて前記被写体の位置情報を検出する被写体位置検出手段と、前記被写体位置検出手段が検出した位置情報を前記画像データに付加して記録する位置情報付加手段と、を有することを特徴とする撮像装置に存する。
【００１２】
上述した第２の課題を解決するためになされた請求項２記載の発明は、前記位置情報付加手段として、前記被写体位置検出手段により検出された位置情報及び前記位置検出手段により検出された位置情報の何れか一方を前記画像データに付加するものを有し、そして、前記位置情報付加手段により付加された位置情報が前記被写体の位置情報であるか、前記位置検出手段の位置情報であるかを識別するための識別情報を前記画像データに付加する識別情報付加手段を有することを特徴とする請求項１記載の撮像装置に存する。
【００１３】
請求項３記載の発明は、前記付加する位置情報を、被写体の位置及び前記位置検出手段の位置の何れか一方に選択するための選択操作手段を有し、そして、前記位置情報付加手段として、前記選択操作手段により前記被写体の位置が選択されているとき、前記被写体位置検出手段が検出した位置情報を前記画像データに付加すると共に、前記選択操作手段により前記位置検出手段の位置が選択されているとき、前記位置検出手段が検出した位置情報を前記画像データに付加するものを有することを特徴とする請求項２記載の撮像装置に存する。
【００１４】
請求項４記載の発明は、前記位置検出手段が、無線により接続されているか否かを判断する判断手段を有し、前記位置情報付加手段として、前記判断手段により無線で接続されていると判断されたとき、前記位置検出手段が検出した位置情報を前記画像データに付加するものを有することを特徴とする請求項２又は３記載の撮像装置に存する。
【００１５】
請求項５記載の発明は、前記識別情報付加手段が、前記判断手段により無線で接続されていると判断されたとき、前記位置情報付加手段により付加された位置情報が前記被写体の位置情報である旨の識別情報を前記画像データに付加することを特徴とする請求項４記載の撮像装置に存する。
【００１６】
請求項６記載の発明は、前記被写体の合焦位置に向かって撮像レンズの移動を開始するときに操作される合焦操作手段と、前記合焦操作手段が操作されたときに前記被写体位置検出手段が検出した前記被写体の位置情報を表示手段に表示する表示制御手段と、を備えたことを特徴とする請求項１〜５何れか１項記載の撮像装置に存する。
【００１７】
請求項７記載の発明は、前記位置検出手段が無線により接続されているか否かを判断する判断手段と、前記判断手段が前記無線により接続されていると判断したとき前記表示制御手段の表示を停止させる表示停止手段と、を備えたことを特徴とする請求項６記載の撮像装置に存する。
【発明の効果】
【００１８】
請求項１記載の発明によれば、被写体位置検出手段が、撮像装置に一体に取り付けられたか又は接続された位置検出手段が検出した位置情報、及び、同じく撮像装置に一体に取り付けられたか又は接続された測距手段が検出した撮像装置から被写体までの距離情報の両情報に基づいて被写体の位置情報を検出し、位置情報付加手段が、被写体位置検出手段が検出した位置情報を画像データに付加して記録するので、被写体の位置情報を付加することができる。
【００１９】
請求項２記載の発明によれば、識別情報付加手段が、位置情報付加手段により付加された位置情報が被写体の位置情報であるか、位置検出手段の位置情報であるかを識別するための識別情報を画像データに付加するので、識別情報により画像データに付加した位置情報が被写体の位置情報なのか、あるいは位置情報検出手段、即ち撮像装置の位置情報なのかを後から判断することができる。
【００２０】
請求項３記載の発明によれば、位置情報付加手段が、選択操作手段により被写体の位置が選択されているとき、被写体位置検出手段が検出した位置情報を画像データに付加すると共に、選択操作手段により位置検出手段の位置が選択されているとき、位置検出手段が検出した位置情報を画像データに付加するので、ユーザが被写体の位置を記録するか、位置検出手段、即ち撮像装置の位置を記録するかを自由に選択することができる。
【００２１】
請求項４記載の発明によれば、位置情報付加手段が、判断手段により無線で接続されていると判断されたとき、位置検出手段が検出した位置情報を画像データに付加するので、ユーザが位置検出手段を被写体の近くにおいて被写体の位置を位置検出手段により直接、検出することもできる。
【００２２】
請求項５記載の発明によれば、識別情報付加手段が、判断手段により無線で接続されていると判断されたとき、位置情報付加手段により付加された位置検出手段が検出した位置情報が被写体の位置情報である旨の識別情報を画像データに付加するので、ユーザが位置検出手段を被写体の近くにおいて被写体の位置を位置検出手段により直接、検出した場合も付加された位置情報が位置情報が被写体の位置情報なのか、あるいは位置情報検出手段、即ち撮像装置の位置情報なのかを後から判断することができる。
【００２３】
請求項６記載の発明によれば、表示制御手段が、操作手段が操作されたときに被写位置検出手段が検出した被写体の位置情報を表示手段に表示するので、撮像時に表示される位置情報が位置検出手段の位置情報なのか被写体の位置情報なのかを表示手段をみながら判断することが可能となる。
【００２４】
請求項７記載の発明によれば、表示停止手段が、位置検出手段が無線により接続されているか否かを判断する判断手段と、判断手段が無線により接続されていると判断したとき表示制御手段の表示を停止させるので、ユーザが位置検出手段を被写体の近くにおいて被写体の位置を位置検出手段により直接、検出した場合も適切な表示を行うことができる。
【発明を実施するための最良の形態】
【００２５】
以下、本発明の実施形態を、図面に基づいて説明する。図１は、本発明の撮像装置１の一実施形態を示すブロック図である。図２は、図１に示す撮像装置１とＧＰＳ機器との接続例を示す図である。
【００２６】
同図に示すように、撮像装置１は、撮像レンズ部２と、ＣＣＤ３と、フロントエンド（Ｆ／Ｅ）部４と、ＳＧ（Signal generator：信号発生器）５と、画像処理部６と、画像メモリ部７と、メモリカード部８と、ＣＰＵ部９と、ＵＳＢ通信部１０と、表示手段としての液晶表示部１１と、インタフェース（Ｉ／Ｆ）部１２と、操作部１３と、電源部１４を有している。
【００２７】
上記撮像レンズ部２は、ズームレンズ２Ａと、ズーム制御部２Ｂと、フォーカスレンズ２Ｃと、フォーカス制御部２Ｄと、メカ機構２Ｅと、絞り・シャッタ制御部２Ｆとを有している。ズーム制御部２Ｂは、ズームレンズ２Ａを駆動してズーム制御を行う。フォーカス制御部２Ｄは、フォーカスレンズ２Ｃを駆動して被写体に合焦するフォーカス制御を行う。メカ機構２Ｅは、メカニカルシャッタ、絞り及びフィルタなどから構成される。絞り・シャッタ制御部２Ｆは、被写体の明るさを制御したり、シャッタ制御を行う。通常、シャッタ速度などは、この絞り・シャッタ制御部２Ｆによってメカニカルシャッタが開いている時間を制御する。
【００２８】
上述したズームレンズ２Ａ及びフォーカスレンズ２Ｃで結像された光は、撮像手段としてのＣＣＤ３によって受光される。ＣＣＤ３は、受光した光を電気信号に変換してアナログの画像データとしてＦ／Ｅ部４に転送する。上記Ｆ／Ｅ部４は、ＣＣＤ３から転送されるアナログの画像データを相関二重サンプリングするＣＤＳ回路と、ＣＤＳ回路から出力されるアナログの画像データのゲインを調整するＡＧＣ回路と、ＡＧＣ回路から出力されるアナログの画像データに対してＡ／Ｄ変換を行いデジタル信号に変換するためのＡ／Ｄ変換回路（何れの回路も図示せず）とから構成される。
【００２９】
ＳＧ５は、ＣＰＵ部９から入力される制御信号に基づいてＣＣＤ３やＦ／Ｅ部４を制御する。画像処理部６は、上述したＦ／Ｅ部４から入力されたデジタルの画像データに対して各種画像処理を施すものである。例えば、画像処理部６は、Ｆ／Ｅ部４から入力されたデジタルの画像データをＹＵＶ形式（Ｙ：輝度データ、ＵＶ：色差データ）の画像フォーマットに変換する画像変換機能を持つ。また、画像処理部６は、ＹＵＶ形式の画像データをＪＰＥＧ方式に準拠した圧縮方式にて圧縮、または圧縮された画像を伸長するための圧縮・伸長機能を持つ。
【００３０】
画像処理部６、画像メモリ部７、メモリカード部８、ＣＰＵ部９、ＵＳＢ通信部１０、表示手段としての液晶表示部１１、Ｉ／Ｆ部１２及び操作部１３は、システムバスＳＢによって接続されている。記録手段として働くＣＰＵ部９は、画像処理部６により圧縮された画像データがデジタルカメラのファイルフォーマットＥｘｉｆ準拠となるように撮像時の条件やカメラの機種名をＪＰＥＧデータのヘッダーとして付加し、撮像したＪＰＥＧファイルとして記録媒体としての画像メモリ部７に一時保管する。メモリカード部８は、近年コンパクトフラッシュ（登録商標）や、ＳＤカードなど複数種類販売されているが、着脱可能に設けられ、上述のＪＰＥＧファイルを格納する。
【００３１】
ＵＳＢ通信部１０は、パーソナルコンピュータとファイルのやりとりを行うために使用される。液晶表示部１１は、撮像前の被写体を決定するためのモニタリング画像即ちスルー画像を表示したり、撮像後のファイルを再生画像として表示したり、各種モードや設定の表示を行う液晶画像である。近年では、２インチ以上の大きな液晶を搭載している機種が増えている。
【００３２】
操作部１３は、撮像装置１をユーザが指示するためのスイッチ部を備えている。このスイッチ部は、電源スイッチ、モードスイッチ、選択操作手段としての選択スイッチ、合焦操作手段としてのレリーズスイッチなどから構成されている。電源スイッチは、主に電源を入れるためのスイッチである。モードスイッチは、撮影モードや再生モード、動画モードあるいは顔検出モードなどの各種モードを切り替えるためのスイッチである。選択スイッチは、画像データに付加するＧＰＳ情報を、被写体の位置及び後述するＧＰＳ機器の位置の何れか一方に選択するためのスイッチである。レリーズスイッチは、被写体の合焦位置に向かってフォーカスレンズ２Ｃの駆動を開始させるときに半押し操作され、被写体を撮影するときに全押し操作されるスイッチである。
【００３３】
上述したＣＰＵ部９の制御プログラムは、図示しないフラッシュロム部に格納されている。Ｉ／Ｆ部１２は、位置検出手段としてのＧＰＳ機器１５（図２参照）及び測距手段としての測距装置１６（図７参照）と接続するためのインタフェースである。ＧＰＳ機器１５は、このＧＰＳ機器１５自身のＧＰＳ情報（＝位置情報）を検出する機器である。ＧＰＳとは、全地球測位システムのことで、これを実現するために地球を周回する衛星が数１０個存在している。衛星は、高性能の時計を内蔵しており、電波で時刻を含むデータを地上に送信している。
【００３４】
ＧＰＳ機器１５は、３つの衛星からのデータを受信できる所では経度及び緯度を割り出すことができ、割り出した経度及び緯度をＧＰＳ情報として検出する。ＧＰＳ機器１５は、４つの衛星からデータを受信できる所では経度及び緯度に加えて高さを割り出すことができ、割り出した経度、緯度及び高さをＧＰＳ情報として検出する。また、ＧＰＳ機器１５は、図示しない方位センサを内蔵し、方位をＧＰＳ情報としてさらに検出する。
【００３５】
ＧＰＳ機器１５と撮像装置１との接続については、例えば図２（Ａ）〜（Ｃ）に示す３例が考えられる。図２（Ａ）は、撮像装置１にＧＰＳ機器１５が一体に取り付けられたものを示す。これは、撮像装置１にＧＰＳ機器１５を内蔵し、ＧＰＳ機器１５をシステムバスで接続されるケースがある。また、ＣＦやＳＤＩＯのタイプのＧＰＳ機器を撮像装置１に装着して使用するケースもある。
【００３６】
図２（Ｂ）は、撮像装置１にＧＰＳ機器１５がケーブル（有線）で接続されたものを示す。ケーブルとしては、例えばシリアル（ＲＳ２３２Ｃケーブル）などが考えられる。ケーブルで接続された場合、ＧＰＳ機器１５への電源は撮像装置１から供給するケースもあれば、ＧＰＳ機器に電源を持っているケースもある。図２（Ｂ）に示す場合、ケーブルの長さはほとんど１ｍ以内であり、撮像装置１と一体になって使用するケースがほとんどである。即ち、図２（Ａ）に示すように撮像装置１にＧＰＳ機器１５が一体に取り付けた場合、図２（Ｂ）に示すように撮像装置１にＧＰＳ機器１５が有線で接続された場合、ＧＰＳ機器１５が検出するＧＰＳ情報は撮像装置１の位置に相当する。
【００３７】
図２（Ｃ）は、撮像装置１にＧＰＳ機器１５が無線で接続されたものを示す。ＧＰＳ機器１５は独自で電源を持ち、ＧＰＳ機器１５のＧＰＳ情報を無線で撮像装置１に送信する。無線の方法は、ブルーツース（BlueTooth）など各種方法が知られている。ＧＰＳ機器１５と撮像装置１は、BlueTooth規格に準拠した通信方式で無線送受信を行うことが可能である。図２（Ｃ）に示すように撮像装置１にＧＰＳ機器１５が無線で接続された場合、ユーザはＧＰＳ機器１５を被写体の近くにおいて撮影することも可能であり、撮像装置１の近くにおいて撮影することも可能となる。従って、ＧＰＳ機器１５を被写体の近くにおいて撮像したときは、ＧＰＳ機器１５が検出するＧＰＳ情報は被写体の位置に相当する。これに対して、ＧＰＳ機器１５を撮像装置１の近くにおいて撮像したときは、ＧＰＳ機器１５が検出するＧＰＳ情報は撮像装置１の位置に相当する。
【００３８】
上述した測距装置１６は、撮像装置１から被写体までの距離を検出する機器である。ＧＰＳ機器１５と同様に撮像装置１に一体に取り付けられたり、撮像装置１に有線や無線で接続されることが考えられる。何れの場合も測距装置１６は、撮像装置１の近くに配置されて使用される。測距装置１６は、レーザを使って被写体までの距離を検出するものなど複数知られている。測距装置１６は、以下のような方法１、方法２で光を被写体にあてて、その反射により距離を測定するものが考えられる。
方法１：光パルスを被写体に向けて送信し、その反射光の受信までの時間（パルス往復時間）を計測することにより距離を求める方式。
方法２：光を特定の周波数で変調したものを被写体に連続照射し、受信した反射光との位相差を計測することにより距離を求める方式。また、測距装置１６としては、自動焦点（オートフォーカス）やオートストロボで用いられる測距装置１６を流用することも考えられる。
【００３９】
また、電源部１４は、それぞれの部に電源を供給するものである。電源部１４は、専用のバッテリや単三電池などの電源を、それぞれの部に適切な電圧に変換するＤＣ／ＤＣコンバータなどから構成されている。
【００４０】
次に、上述した構成の撮像装置１の動作を、図３及び図４のフローチャートを参照して説明する。図３は、第１ＧＰＳ撮影処理における図１に示す撮像装置１を構成するＣＰＵ部９の処理手順を示すフローチャートである。図４は、第２ＧＰＳ撮影処理における図１に示す撮像装置１を構成するＣＰＵ部９の処理手順を示すフローチャートである。まず、ＣＰＵ部９は、操作部１３によりＧＰＳ撮影モードが選択されている場合、撮像装置１の電源スイッチのオン、ＧＰＳ機器１５の電源スイッチのオンに応じて第１及び第２ＧＰＳ撮影処理を並列に実行する。
【００４１】
第１ＧＰＳ撮影処理においてＣＰＵ部９は、図３に示すように、ＣＣＤ３が撮像した被写体の画像をリアルタイムに液晶表示部１１に表示するモニタリング処理を開始する（ステップＳ１）。次に、ＣＰＵ部９は、ＧＰＳ機器１５がＧＰＳ情報を検出するのを待って（ステップＳ２でＹ）、次のステップＳ３に進む。
【００４２】
ステップＳ３においてＣＰＵ部９は、ＧＰＳ機器１５が検出したＧＰＳ情報を図示しないＳＤＲＡＭ内に格納する。ここで、ＧＰＳ機器１５が３つの衛星からのデータを受信できるとき、緯度、経度及び方位がＧＰＳ情報としてＳＤＲＡＭ内に格納される。また、ＧＰＳ機器１５が４つの衛星からのデータを受信できるとき、緯度、経度、高さ及び方位がＧＰＳ情報としてＳＤＲＡＭ内に格納される。
【００４３】
次に、ＣＰＵ部９は、図５（Ａ）に示すようにＧＰＳ機器１５が検出したＧＰＳ情報Ｓ１１を液晶表示部１１に表示させる（ステップＳ４）。ＣＰＵ部９は、レリーズスイッチが半押しされるまで上述したステップＳ２〜Ｓ４を繰り返し行う。これにより、定期的に、例えば１秒間隔にてＧＰＳ機器１５にＧＰＳ情報を検出させて、液晶表示部１１にＧＰＳ機器１５が検出したＧＰＳ情報Ｐ１を表示する。
【００４４】
ユーザによりレリーズスイッチが半押しされると（ステップＳ５でＹ）、ＣＰＵ部９は、撮像レンズ部２を制御して被写体の合焦位置にフォーカスレンズ２Ｃを移動させるオートフォーカス処理を行う（ステップＳ６）。その後、ユーザーによりレリーズスイッチが全押しされると（ステップＳ７でＹ）、ＣＰＵ部９はＣＣＤ３やＦ／Ｅ部４を制御してＣＣＤ３が撮像した画像データを取り込む画像取込処理を行う（ステップＳ８）。次に、ＣＰＵ部９は、画像処理部６を制御してＣＣＤ３が撮像した画像データを圧縮する画像圧縮処理を行う（ステップＳ９）。
【００４５】
その後、ＣＰＵ部９は、図６に示すように、後述するＧＰＳ情報Ｓ１１又はＳ１２、識別情報Ｓ２を画像データのＥｘｉｆヘッダーに付加するＧＰＳ情報・識別情報付加処理を行う（ステップＳ１０）。このＧＰＳ情報・識別情報付加処理については後で詳しく説明する。次に、ＣＰＵ部９は、ＧＰＳ情報、識別情報が付加された画像データを画像メモリ部７に記録した後（ステップＳ１１）、ステップＳ１に戻る。
【００４６】
また、ＣＰＵ部９は、位置情報付加手段、識別情報付加手段として働き、上述した第１ＧＰＳ撮影処理と並列に第２ＧＰＳ撮影処理を行う。第２ＧＰＳ撮影処理の最初のステップＳ２１において、ＣＰＵ部９は、操作部１３により被写体の位置及びＧＰＳ機器１５の位置の何れが選択されているか判断する。被写体が選択されていれば（ステップＳ２１でＹ）、ＣＰＵ部９は、判断手段として働き、ＧＰＳ機器１５が無線で接続されているか否かを判断する（ステップＳ２２）。ＧＰＳ機器１５が無線で接続していなければ（ステップＳ２２でＮ）、ＣＰＵ部９は、図２（Ａ）、（Ｂ）に示すようにＧＰＳ機器１５が撮像装置１と一体又は近くに配置され、ＧＰＳ機器１５が検出したＧＰＳ情報Ｓ１１は撮像装置１のＧＰＳ情報であると判断して次のステップＳ２３に進む。
【００４７】
ステップＳ２３において、ＣＰＵ部９は、レリーズスイッチが半押しされるのを待つ。レリーズスイッチが半押しされると（ステップＳ２３でＹ）、ＣＰＵ部９は測距装置１６に撮像装置１から被写体までの距離を検出する測距処理を行わせる（ステップＳ２４）。その後、ＣＰＵ部９は、被写体位置検出手段として働き、被写体のＧＰＳ情報検出処理を開始する（ステップＳ２５）。
【００４８】
このＧＰＳ情報検出処理について図７を参照して以下説明する。ＣＰＵ部９は、図３のステップＳ３でＳＤＲＡＭに格納した最新のＧＰＳ機器１５のＧＰＳ情報Ｓ１１（上述したように撮像装置１のＧＰＳ情報に相当する）と、ステップＳ２２の測距処理で検出した被写体までの距離情報Ａとに基づいて被写体のＧＰＳ情報Ｓ１２を検出し、ＳＤＲＡＭ内に格納する。
【００４９】
その後、ＣＰＵ部９は、表示制御手段として働いて、図５（Ａ）に示すようにＧＰＳ機器１５、即ち撮像装置１のＧＰＳ情報Ｓ１１がすでに表示されている液晶表示部１１に、さらに図５（Ｂ）に示すように被写体のＧＰＳ情報Ｓ１２を表示させる（ステップＳ２６）。このときＣＰＵ部９は、ＧＰＳ機器１５のＧＰＳ情報Ｓ１１と被写体のＧＰＳ情報Ｓ１２とで表示色を変えて表示し、さらの被写体のＧＰＳ情報Ｓ１２の表示色で被写体を囲む枠Ｗを表示させる。これにより、ユーザがＧＰＳ機器１５のＧＰＳ情報Ｓ１１と被写体のＧＰＳ情報Ｓ１２とを識別することができる。
【００５０】
次に、ＣＰＵ部９は、レリーズスイッチが全押しされるのを待って（ステップＳ２７でＹ）、ステップＳ２１に戻る。一方、ＧＰＳ機器１５が選択されていれば（ステップＳ２１でＮ）、ＣＰＵ部９は被写体の位置情報を求める必要がないと判断して、ステップＳ２３〜Ｓ２６を行うことなく、ステップＳ２７に進む。また、ＧＰＳ機器１５が無線で接続されていれば（ステップＳ２２でＹ）、ＣＰＵ部９は、表示停止手段として働き、ユーザがＧＰＳ機器１５を被写体の近くに配置していて、ＧＰＳ機器１５が検出したＧＰＳ情報から被写体の位置情報を求める必要がないと判断してステップＳ２３〜Ｓ２６を行うことなく、ステップＳ２１に進む。
【００５１】
次に、上述したＧＰＳ情報・識別情報付加処理の詳細について説明する。まず、操作部１３により被写体の位置が選択され、かつＧＰＳ機器１５と無線で接続されていない場合について説明する。この場合、ＧＰＳ機器１５は撮像装置１の近くに配置されていて、ＧＰＳ機器１５が検出したＧＰＳ情報Ｓ１１は撮像装置１のＧＰＳ情報に相当する。ステップＳ１０においてＣＰＵ部９は、図６に示すように、上述した図４のステップＳ２５で求めた被写体のＧＰＳ情報Ｓ１２をＥｘｉｆヘッダーのＧＰＳ記憶エリアＡ１に付加する。また、ＣＰＵ部９は、ＥｘｉｆヘッダーにＧＰＳ機器１５のメーカと機種名とを付加する。また、ＣＰＵ部９は、ＧＰＳ機器１５との接続方法として、シリアル／BlueToothのうちシリアルを選択して付加する。
【００５２】
また、ＣＰＵ部９は、ＧＰＳ記憶エリアＡ１に記憶されたＧＰＳ情報がステップＳ２５でＳＤＲＡＭに格納した被写体のＧＰＳ情報Ｓ１２であるか、ステップＳ３でＳＤＲＡＭに格納したＧＰＳ機器１５のＧＰＳ情報Ｓ１１であるかを識別するための識別情報Ｓ２として、被写体／ＧＰＳ機器のうち被写体を選択して付加する。さらに、ＣＰＵ部９は、ステップＳ３でＳＤＲＡＭに格納したＧＰＳ機器１５のＧＰＳ情報Ｓ１１を変化前緯度・経度情報としてＥｘｉｆヘッダーに付加する。
【００５３】
次に、操作部１３により被写体の位置が選択され、かつ撮像装置１とＧＰＳ機器１５とが無線で接続されている場合について説明する。この場合、ＧＰＳ機器１５は被写体の近くに配置されて、ＧＰＳ機器１５が検出したＧＰＳ情報Ｓ１１は被写体のＧＰＳ情報に相当すると判断する。ステップＳ１０においてＣＰＵ部９は、ステップＳ３でＳＤＲＡＭに格納した最新のＧＰＳ情報Ｓ１１をＥｘｉｆヘッダーのＧＰＳ記憶エリアＡ１に付加する。また、ＣＰＵ部９は、ＥｘｉｆヘッダーにＧＰＳ機器１５のメーカと機種名とを記憶する。また、ＣＰＵ部９は、ＧＰＳ機器１５との接続方法として、シリアル／BlueToothのうちBlueToothを選択して付加する。
【００５４】
また、ＣＰＵ部９は、識別情報Ｓ２として、被写体／ＧＰＳ機器のうち被写体を選択して付加する。さらに、ＣＰＵ部９は、ステップＳ３でＳＤＲＡＭに格納したＧＰＳ情報Ｓ１１を変化前緯度・経度情報としてＥｘｉｆヘッダーに付加する。
【００５５】
次に、操作部１３により被写体の位置が選択されていない場合について説明する。この場合、ＧＰＳ機器１５と無線で接続されていたとしても、ＧＰＳ機器１５は撮像装置１の近くに配置されていて、ＧＰＳ機器１５が検出したＧＰＳ情報Ｓ１１は撮像装置１のＧＰＳ情報に相当すると判断する。
【００５６】
ステップＳ１０においてＣＰＵ部９は、ステップＳ３でＳＤＲＡＭに格納した最新のＧＰＳ情報Ｓ１１をＥｘｉｆヘッダーのＧＰＳ記憶エリアＡ１に付加する。また、ＣＰＵ部９は、ＥｘｉｆヘッダーにＧＰＳ機器１５のメーカと機種名とを付加する。また、ＣＰＵ部９は、ＧＰＳ機器１５との接続方法として、ＧＰＳ機器１５と無線で接続されていればBlueToothを選択して付加し、ＧＰＳ機器１５とシリアル接続されていればシリアルを選択して付加する。
【００５７】
また、ＣＰＵ部９は、識別情報Ｓ２として、被写体／ＧＰＳ機器のうちＧＰＳ機器１５を選択して付加する。さらに、ＣＰＵ部９は、ステップＳ３でＳＤＲＡＭに格納したＧＰＳ情報Ｓ１１を変化前緯度・経度情報としてＥｘｉｆヘッダーに付加する。
【００５８】
上述した撮像装置１によれば、ＣＰＵ部９が、撮像装置１に一体に取り付けられた又は接続されたＧＰＳ機器１５が検出したＧＰＳ情報Ｓ１１、及び、測距装置１６が検出した撮像装置１から被写体までの距離情報の両情報に基づいて被写体のＧＰＳ情報Ｓ１２を検出し、ＣＰＵ部９が、検出した被写体のＧＰＳ情報１２を画像データに付加して記録するので、被写体のＧＰＳ情報を付加することができる。
【００５９】
また、上述した撮像装置１によれば、ＣＰＵ部９が、識別情報Ｓ２を画像データに付加するので、識別情報Ｓ２により画像データに付加したＧＰＳ情報が被写体のＧＰＳ情報なのか、あるいはＧＰＳ機器１５、即ち撮像装置１のＧＰＳ情報なのかを後から判断することができる。
【００６０】
また、上述した撮像装置１によれば、ＣＰＵ部９が、操作部１３により被写体の位置が選択されているとき、ステップＳ２５で割り出した被写体のＧＰＳ情報を画像データに付加すると共に、操作部１３によりＧＰＳ機器１５の位置が選択されているとき、ステップＳ３でＳＤＲＡＭに格納したＧＰＳ情報を画像データに付加するので、ユーザが被写体の位置を記録するか、ＧＰＳ機器１５、即ち撮像装置１の位置を記録するかを自由に選択することができる。
【００６１】
上述した撮像装置１によれば、ＣＰＵ部９が、ＧＰＳ機器１５が無線で接続したとき、ステップＳ３でＳＤＲＡＭ内に格納されたＧＰＳ機器１５が検出したＧＰＳ情報を画像データに付加するので、ユーザがＧＰＳ機器１５を被写体の近くにおいて被写体の位置をＧＰＳ機器１５により直接、検出することもできる。
【００６２】
上述した撮像装置１によれば、ＣＰＵ部９が、ＧＰＳ機器１５が無線で接続されていると判断されたとき、ＧＰＳ記憶エリアＡ１に付加されたＧＰＳ情報が被写体のＧＰＳ情報である旨の識別情報Ｓ２を画像データに付加するので、ユーザがＧＰＳ機器１５を被写体の近くにおいて被写体の位置をＧＰＳ機器１５により直接、検出した場合も付加されたＧＰＳ情報が被写体のＧＰＳ情報なのか、あるいはＧＰＳ機器１５、即ち撮像装置１のＧＰＳ情報なのかを後から判断することができる。
【００６３】
上述した撮像装置１によれば、ＣＰＵ部９が、レリーズスイッチが半押し操作されたときにステップＳ２５で求めた被写体のＧＰＳ情報を液晶表示部１１に表示するので、撮像時に表示されるＧＰＳ情報がＧＰＳ機器１５のＧＰＳ情報なのか被写体のＧＰＳ情報なのかを液晶表示部１１をみながら判断することが可能となる。
【００６４】
上述した撮像装置１によれば、ＣＰＵ部９が、ＧＰＳ機器１５が無線により接続されていると判断したときステップＳ２４〜Ｓ２６を行わないので、ユーザがＧＰＳ機器１５を被写体の近くにおいて被写体の位置をＧＰＳ機器１５により直接、検出した場合も適切な表示を行うことができる。
【００６５】
なお、上述した実施形態では、ＧＰＳ記憶エリアＡ１に被写体のＧＰＳ情報、ＧＰＳ機器のＧＰＳ情報の何れか一方を記憶し、ＧＰＳ記憶エリアＡ１に記憶されたＧＰＳ情報が被写体のＧＰＳ情報であるか、ＧＰＳ機器１５のＧＰＳ情報であるか識別情報を画像データに付加していたが、本発明はこれに限ったものではない。例えば、ＣＰＵ記憶エリアＡ１に被写体のＧＰＳ情報しか記憶しない場合は、識別情報を記憶させる必要はない。
【００６６】
また、上述した実施形態では、操作部１３によりＧＰＳ機器１５の位置が選択され、かつＧＰＳ機器１５が無線で接続されているときは、ＧＰＳ機器１５が撮像装置１の近くに配置されていると判断して、識別情報Ｓ２としてはＧＰＳ機器１５を選択して付加していたが、本発明はこれに限ったものではない。例えば、操作部１３によりＧＰＳ機器１５の位置が選択されていたとしても、ＧＰＳ機器１５が無線で接続されていれば、ＧＰＳ機器１５が被写体の近くに配置されていると判断して識別情報Ｓ２として被写体を選択して付加してもよい。
【００６７】
また、上述した実施形態では、ＧＰＳ情報を液晶表示部１１に表示していたが、本発明はこれに限ったものではない。ＧＰＳ情報を液晶表示部１１に表示しなくてもよい。
【００６８】
また、無線でＧＰＳ機器１５と接続されている場合は、その旨を液晶表示部１１に表示させることも考えられる。さらに、有線又は一体にＧＰＳ機器と接続されている場合も、その旨を液晶表示部１１に表示させることも考えられる。
【００６９】
なお、本発明は上記実施形態に限定されるものではない。即ち、本発明の骨子を逸脱しない範囲で種々変形して実施することができる。
【図面の簡単な説明】
【００７０】
【図１】本発明の撮像装置の一実施形態を示すブロック図である。
【図２】図１に示す撮像装置とＧＰＳ機器との接続例を示す図である。
【図３】第１ＧＰＳ撮影処理におけるＣＰＵ部の処理手順を示すフローチャートである。
【図４】第２ＧＰＳ撮影処理におけるＣＰＵ部の処理手順を示すフローチャートである。
【図５】（Ａ）は図３のステップＳ４における液晶表示部の表示例を示す図であり、（Ｂ）は図４のステップＳ２６における液晶表示部の表示例を示す図である。
【図６】画像データの構成を示す図である。
【図７】図４のステップＳ２２におけるＧＰＳ情報検出処理を説明するための図である。
【符号の説明】
【００７１】
３    ＣＣＤ（撮像手段）
７    画像メモリ部７（記録媒体）
９    ＣＰＵ部（記録手段、位置情報付加手段、識別情報付加手段、判断手段、被写体位置検出手段、表示制御手段、表示停止手段）
１１  液晶表示部（表示手段）
１３  操作部（選択操作手段、合焦操作手段）
１５  ＧＰＳ機器（位置検出手段）
１６  測距装置（測距手段）
【図１】
2008078780.tif 000003
【図２】
2008078780.tif 000004
【図３】
2008078780.tif 000005
【図４】
2008078780.tif 000006
【図５】
2008078780.tif 000007
【図６】
2008078780.tif 000008
【図７】
2008078780.tif 000009